(57)【要約】【課題】遊技盤の入賞口をピアノ線によって操作する不正行為が行われることを完全に防止すること。【解決手段】メインセット４３の装着状態で枠側通路ガード７４および皿側通路ガード７６相互間を重ねたので、ピアノ線を枠側下通路７３および皿側通路７５相互間に挿入することができなくなる。しかも、メインセット４３を内枠５から不正に引離して枠側下通路７３および皿側通路７５相互間にピアノ線を挿入しようとしたときには枠側通路ガード７４および皿側通路ガード７６相互間に隙間が形成される前にマイクロスイッチがオン状態からオフ状態に切換わり、スピーカから異常音が出力される。このため、枠側下通路７３および皿側通路７５相互間にピアノ線を挿入することが可能になる前にメインセット４３の不正操作を発見することができるので、総じて遊技盤の入賞口を枠側下通路７３および皿側通路７５相互間からピアノ線によって操作する不正行為が行われることを完全に防止することができる。【選択図】図９
2008048770.tif 000002
【特許請求の範囲】
【請求項１】
パチンコホールの台島に設置される外枠と、
前記外枠に設けられ、遊技盤を保持する内枠と、
前記内枠に前記内枠の前方に位置して設けられ、前記遊技盤内に発射するための遊技球を貯留する球受皿と、
前記内枠に前記内枠の後方に位置して着脱可能に設けられ、遊技球が転動可能な枠側通路および球タンク内に貯留された遊技球を球タンク内から枠側通路に供給する球供給装置を有する後枠と、
前記内枠に設けられ、前記後枠が前記内枠に装着された前記後枠の装着状態で前記枠側通路の出口に前記内枠および前記後枠相互間で接続された接続状態になる皿側通路と、
前記後枠が装着状態にあるか否を電気的に検出するものであって、前記後枠が装着状態で前記内枠から引離されたときには前記後枠の前記内枠に対する前後方向の移動量が予め決められた変位値に到達するまでは電気的な状態が切換わらずに変位値に到達した時点で電気的な状態が切換わる枠センサと、
前記枠センサからの出力信号に基づいて前記後枠が装着状態にあるか否かを判断するものであって前記後枠が装着状態にないことを判断したときにはこれを報知するためのコマンドを出力する制御回路と、
前記制御回路からコマンドが出力されることに基づいて前記後枠が装着状態にないことを報知する報知手段と、
前記枠側通路の出口および前記皿側通路の入口のそれぞれに前後方向へ延びるように設けられ、前記後枠の装着状態で相互に重なるラップ部を備え、
前記両ラップ部のそれぞれは、前記後枠が装着状態で前記内枠から引離されるときに前記両ラップ部相互間に隙間が形成される前に前記枠センサの状態が切換わるように前後方向の長さ寸法が前記枠センサの変位値と同等または前記枠センサの変位値よりも長く設定されていることを特徴とするパチンコ遊技機。
【発明の詳細な説明】
【技術分野】
【０００１】
本発明は球タンク内の遊技球を相互に接続された複数の通路を通して球受皿に供給する構成のパチンコ遊技機に関する。
【背景技術】
【０００２】
従来のパチンコ遊技機には窓枠の閉鎖状態で窓枠の突部を内枠の溝部内に嵌合する構成のものがある。この内枠は遊技盤が保持されたものであり、内枠の遊技盤は窓枠の閉鎖状態で前方から窓枠によって覆われる。この構成の場合、窓枠の閉鎖状態で外部から窓枠および内枠相互間にピアノ線を挿入しようとしたときにはピアノ線が突部にぶつかるので、ピアノ線を使用して遊技盤の入賞口を操作する違法行為を行うことが不能になる。
【特許文献１】実開平６−７５５７３号公報
【特許文献２】特開平８−２４４１８号公報
【発明の開示】
【発明が解決しようとする課題】
【０００３】
従来のパチンコ遊技機の場合、内枠の後方に後枠を装着し、球タンクから後枠の枠側通路および内枠の皿側通路のそれぞれを通して球受皿に遊技球を供給しているので、枠側通路および皿側通路相互間に接続部分が形成される。このため、ピアノ線を枠側通路および皿側通路相互間に挿入することができるので、遊技盤の入賞口を枠側通路および皿側通路相互間からピアノ線によって操作する不正行為が行われる可能性を完全に否定することができない。
【０００４】
本発明は上記事情に鑑みてなされたものであり、その目的はピアノ線を枠側通路および皿側通路相互間に挿入して遊技盤の入賞口を操作する不正行為が行われることを完全に防止することができるパチンコ遊技機を提供することにある。
【課題を解決するための手段】
【０００５】
請求項１に記載のパチンコ遊技機は［１］外枠〜［９］ラップ部を備えたところに特徴を有している。
［１］外枠はパチンコホールの台島に設置されるものであり、図３の符号１は外枠の一例である。
［２］内枠は外枠に設けられたものであり、遊技盤を保持するものである。図２の符号５は内枠の一例であり、図２の符号２５は遊技盤の一例である。
［３］球受皿は内枠に内枠の前方に位置して設けられたものであり、遊技盤内に発射するための遊技球を貯留するものである。図１の上皿２３は球受皿の一例である。
［４］後枠は内枠に内枠の後方に位置して着脱可能に設けられたものである。図５のメインセット４３は後枠の一例であり、図４に示すように、メインセット４３を通して内枠５に複数のナイラッチ４５を押込むことに基づいて装着状態になる。この後枠は枠側通路および球供給装置を有している。枠側通路は遊技球が転動可能なものであり、図５の枠側下通路７３は枠側通路の一例である。球供給装置は球タンク内に貯留された遊技球を球タンク内から枠側通路に供給するものであり、図５の球払出し装置７２は球供給装置の一例であり、図８の符号６９は球タンクの一例である。
［５］皿側通路は内枠に設けられたものであり、図３の符号７５は皿側通路の一例である。この皿側通路は後枠が装着状態になることに基づいて枠側通路の出口に内枠および後枠相互間で接続された接続状態になるものであり、図９の（ａ）は枠側下通路７３および皿側通路７５の両者を接続状態で示している。
［６］枠センサは後枠が装着状態にあるか否かを電気的に検出するものであり、図６のマイクロスイッチ５８は枠センサの一例である。この枠センサは後枠が装着状態で内枠から引離されたときに後枠の内枠に対する前後方向の移動量が予め決められた変位値に到達するまでは電気的な状態が切換わらず、後枠の内枠に対する前後方向の移動量が変位値に到達した時点で電気的な状態が切換わるものである。図７の（ｂ）はメインセット４３が装着状態から引離されるときにメインセット４３の内枠５に対する前後方向の移動量が予め決められた変位値Ｌに到達した時点を示すものであり、マイクロスイッチ５８はメインセット４３の前後方向の移動量が変位値Ｌに到達した時点でオン状態からオフ状態に切換わる。
［７］制御回路は枠センサからの出力信号に基づいて後枠が装着状態にあるか否かを判断するものであり、後枠が装着状態にないことを判断したときにはこれを報知するためのコマンドを出力する。図８のメイン制御回路８２は制御回路の一例であり、マイクロスイッチ５８がオフされることに基づいてメインセット４３が装着状態にないことを判断し、スピーカ７を鳴動するためのコマンドを出力する。
［８］報知手段は制御回路からコマンドが出力されることに基づいて後枠が装着状態にないことを報知するものである。この報知手段は後枠が装着状態にないことをパチンコホールの店員に知らせることが可能なものであり、図２のスピーカ７は報知手段の一例である。
［９］ラップ部は枠側通路の出口および皿側通路の入口のそれぞれに前後方向へ延びるように設けられたものであり、後枠の装着状態で相互に重なるものである。このため、ピアノ線を後枠の装着状態で枠側通路の出口および皿側通路の入口相互間に挿入することができなくなる。図９の枠側通路ガード７４は枠側通路の出口に設けられたラップ部に相当するものであり、図９の皿側通路ガード７６は皿側通路７５の入口に設けられたラップ部の一例であり、枠側通路ガード７４および皿側通路ガード７６のそれぞれは、図９の（ａ）に示すように、メインセット４３の装着状態で径方向に相互に重なる筒状をなしている。
【０００６】
両ラップ部のそれぞれの前後方向の長さ寸法は枠センサの変位値と同等または枠センサの変位値よりも長く設定されている。このため、後枠を内枠から不正に引離して枠側通路および皿側通路相互間にピアノ線を挿入しようとしたときには両ラップ部相互間に隙間が形成される前に枠センサの状態が切換わり、制御回路からコマンドが出力されることに基づいて後枠が装着状態にないことが店員に報知される。従って、後枠を不正操作して枠側通路および皿側通路相互間にピアノ線を挿入しようとしたときにはピアノ線を挿入することが可能になる前に後枠の不正操作を店員が発見することができるので、総じて遊技盤の入賞口を枠側通路および皿側通路相互間からピアノ線によって操作する不正行為が行われることを完全に防止することができる。
【発明を実施するための最良の形態】
【０００７】
【実施例１】
【０００８】
図１の外枠１はパチンコホールの台島に設置されるものである。この外枠１は木材を前後面が開口する四角筒状に接合することから構成されたものであり、外枠１の前端面には下端部に位置して横長な長方形状の幕板２が固定されている。この外枠１の左側部には、図２に示すように、上ヒンジ金具３および下ヒンジ金具４のそれぞれを介して内枠５が装着されている。この内枠５は外枠１の前面を覆う閉鎖状態および外枠１の前面を開放する開放状態相互間で回動操作されるものであり、符号６は上ヒンジ金具３の軸および下ヒンジ金具４の軸を結んだ内枠５の回動中心を示している。この内枠５は前後面が開口する四角筒状をなすものであり、内枠５には左上隅部および右上隅部のそれぞれに位置してスピーカ７が固定されている。
【０００９】
内枠５の下端部には横長な長方形状のレール台板８が接合されており、レール台板８の前面には発射レール９が固定されている。この発射レール９は右から左へ向って上昇する傾斜状をなすものであり、垂直な破断線に沿う断面がＶ字状をなしている。この発射レール９の右端部にはストッパベース１０が形成されている。このストッパベース１０は発射レール９に対して直交する平板状をなすものであり、ストッパベース１０には下端部に位置して貫通状の打球孔が形成され、打球孔の上方に位置して台形状のストッパ１１が固定されている。
【００１０】
レール台板８の前面には発射レール９の下方に位置して発射ソレノイド１２が固定されている。この発射ソレノイド１２はロータリーソレノイドからなるものであり、前後方向へ延びる出力軸を有している。この発射ソレノイド１２の出力軸には打球槌１３が連結されており、発射ソレノイド１２のオフ状態では打球槌１３が発射レール９から右方に離間する待機位置（図２の実線参照）に回動操作され、発射ソレノイド１２のオン状態では打球槌１３が発射レール９に接近する打球位置（図２の二点差線参照）に回動操作される。この打球槌１３の先端部には突状の打球部１４が形成されており、打球部１４は打球槌１３が打球位置に回動操作されることに基づいてストッパベース１０の打球孔を通して発射レール９上に進入し、打球槌１３が待機位置に回動操作されることに基づいて発射レール９上から退避する。
【００１１】
内枠５の前面には、図２に示すように、幕板２の上方に位置して横長な長方形状の下皿板１５が固定されており、下皿板１５の前面には下皿１６が接合されている。この下皿１６は遊技球が貯留されるものであり、上面が開口する容器状をなしている。この下皿１６の右方にはハンドル台１７が配置されている。このハンドル台１７は下皿板１５に接合されたものであり、ハンドル台１７には発射ハンドル１８が装着されている。この発射ハンドル１８は前後方向へ延びる軸を中心に回動可能にされたものであり、発射ハンドル１８が予め決められた原位置から時計回り方向へ回動操作されたときには発射ソレノイド１２に駆動電源が与えられることに基づいて打球槌１３が待機位置および打球位置相互間で往復動を繰返す。
【００１２】
内枠５の左側部には、図１に示すように、上ヒンジ金具１９および下ヒンジ金具２０の双方を介して前枠２１が装着されており、前枠２１は内枠５の前面を閉鎖する閉鎖状態および内枠５の前面を開放する開放状態相互間で内枠５と共通の軸６を中心に回動可能にされている。この前枠２１の左上隅部および右上隅部のそれぞれには円形状のスピーカカバー２２が固定されており、左上隅部のスピーカカバー２２は前枠２１の閉鎖状態で内枠５の左上隅部のスピーカ７の前方に配置され、右上隅部のスピーカカバー２２は前枠２１の閉鎖状態で内枠５の右上隅部のスピーカ７の前方に配置される。
【００１３】
前枠２１の前面には、図１に示すように、下皿１６の上方に位置して上皿２３が固定されている。この上皿２３は遊技球が貯留される球受皿に相当するものであり、上面が開口する容器状をなしている。この上皿２３内の遊技球は上皿２３内から発射レール９上の右端部に１個単位で移送されるものであり、ストッパベース１０は発射レール９上の右端部に移送された遊技球を係止することに基づいて遊技球が発射レール９の右端部から転落することを阻止する。この遊技球の移送は打球槌１３が打球位置から待機位置に回動することに電気的に連動して移送機構が行うものであり、打球槌１３の打球部１４は打球槌１３が待機位置から打球位置に回動することに基づいてストッパベース１０が係止する遊技球を打球孔を通して叩き、打球部１４が叩いた遊技球は発射レール９に沿って右から左へ転動した後に発射レール９の左端部から発射される。
【００１４】
内枠５には、図２に示すように、レール台板８の上方に位置して空間状の遊技盤収納部２４が形成されており、遊技盤収納部２４内には遊技盤２５が収納されている。この遊技盤収納部２４内には、図３に示すように、左上隅部と右上隅部と左下隅部と右下隅部のそれぞれに位置して支え板２６が突出している。これら各支え板２６は内枠５に形成されたものであり、遊技盤２５の左上隅部と右上隅部と左下隅部と右下隅部のそれぞれは後方から支え板２６によって支えられている。この遊技盤２５は透明な合成樹脂製の板からなるものであり、遊技盤２５の前面には、図２に示すように、内レール２７と外レール２８と球止め部材２９が固定されている。内レール２７は上面が開口する円弧状をなすものであり、外レール２８は内レール２７の外周部に配置され、球止め部材２９は内レール２７の右端部および外レール２８の右端部相互間の隙間を塞いでいる。
【００１５】
遊技盤２５には、図２に示すように、発射通路３０が形成されている。この発射通路３０は内レール２７および外レール２８相互間の左側部に形成された空間部を称するものであり、下端部および上端部のそれぞれが開口する円弧状をなしている。この発射通路３０の下端部は発射レール９の左端部に隙間状の球回収口３１を介して対向しており、遊技球が発射レール９の左端部から限度値を上回る強い勢いで発射されたときには球回収口３１を飛び越えて発射通路３０内に下端部から進入し、発射通路３０に沿って円弧状の軌跡を描きながら上昇した後に発射通路３０の上端部から放出される。この球回収口３１は下皿１６内に球回収通路を介して接続されたものであり、遊技球が発射レール９の左端部から限度値以下の弱い勢いで発射されたときには球回収口３１内に落下し、球回収口３１から球回収通路を通して下皿１６内に排出される。
【００１６】
前枠２１には、図１に示すように、円形状の貫通孔３２が形成されている。この貫通孔３２の内周面には透明な窓３３が固定されており、窓３３は前枠２１の閉鎖状態で遊技盤２５の遊技領域３４を前方から視覚的に認識可能に覆っている。この遊技領域３４は、図２に示すように、内レール２７と外レール２８と球止め部材２９によって囲まれた領域のうち発射通路３０を除く円形状の部分を称するものであり、発射通路３０の上端部から放出された遊技球が転動可能な最大範囲に相当する。この遊技領域３４内には複数の障害釘が固定されており、発射通路３０の上端部から遊技領域３４内に放出された遊技球は障害釘に当りながら遊技領域３４内を転動する。
【００１７】
遊技盤２５には、図２に示すように、遊技領域３４内に位置して始動口３５および特別入賞口３６が固定されている。始動口３５は上面が開口するポケット状をなすものであり、遊技領域３４内を転動する遊技球は始動口３５内に上面から入賞可能にされている。特別入賞口３６は前面が開口する四角筒状をなすものである。この特別入賞口３６には扉３７が下端部の水平な軸３８を中心に回動可能に装着されており、扉３７は特別入賞口ソレノイドに連結されている。この扉３７は特別入賞口ソレノイドの断電状態で垂直な閉鎖状態になることに基づいて特別入賞口３６の前面を遊技球が入賞不能に閉鎖するものであり、図２は扉３７を閉鎖状態で示している。この扉３７は特別入賞口ソレノイドの通電状態で前方へ水平に倒れた開放状態に回動するものであり、扉３７の開放状態では遊技領域３４内を転動する遊技球が扉３７に乗って特別入賞口３６内に前面から転がり込むことが許容される。遊技盤２４には遊技領域３４内に位置してアウト孔３９が形成されている。このアウト孔３９は内レール２７の最低部に配置されたものであり、始動口３５内および特別入賞口３６内のいずれにも入賞しなかった遊技球は内レール２７に沿ってアウト孔３９内に転がり込む。
【００１８】
内枠５の後面には、図３に示すように、上端部および下端部のそれぞれに位置してブラケット８７が接合されている。これら各ブラケット８７は内枠５の軸６と同一の左端部に配置されたものであり、各ブラケット８７には、図１２に示すように、前後方向へ延びる長孔８８が形成されている。これら各ブラケット８７の長孔８８内には垂直な円柱状のシャフト８９が挿入されており、各シャフト８９にはブラケット９０が接合されている。これら各ブラケット９０は、図５に示すように、メインセット４３に接合されたものであり、メインセット４３はメインセット４３のブラケット９０を介して内枠５のブラケット８７によって下方から支えられている。このメインセット４３は両シャフト８９を中心に内枠５に対して回動可能にされたものであり、両シャフト８９のそれぞれが長孔８８の内周面によって案内されることに基づいて内枠５に対して前後方向へ直線的に移動可能にされている。このメインセット４３は後枠に相当するものであり、メインセット４３が内枠５に対して上方へ持上げられたときには各シャフト８９が長孔８８内から抜けることに基づいて内枠５から完全に取外される。
【００１９】
内枠５には、図３に示すように、左下隅部と右下隅部と左上隅部と右上隅部のそれぞれに位置して円形状の貫通孔４０が形成されており、各貫通孔４０の周縁部には、図４に示すように、後方へ突出する円筒状の内ガード４１が形成されている。これら各内ガード４１の外周面には円筒状の外ガード４２が嵌合されている。これら外ガード４２は、図５に示すように、メインセット４３の左下隅部と右下隅部と左上隅部と右上隅部のそれぞれに形成されたものであり、メインセット４３は各組の内ガード４１および外ガード４２相互間の嵌合力で内枠５に対して位置決めされている。
【００２０】
メインセット４３には、図４に示すように、各外ガード４２の内周部に位置して円形状の貫通孔４４が形成されており、各貫通孔４４内には後方からナイラッチ４５のプランジャ４６が挿入されている。これら各プランジャ４６は円柱状をなすものであり、各プランジャ４６の外周面にはグロメット４７が接合されている。これら各グロメット４７は拡径状態および縮径状態相互間で弾性変形可能なものであり、内枠５の貫通孔４０の前方で拡径状態になることに基づいて貫通孔４０の周縁部に係合している。
【００２１】
各ナイラッチ４５のプランジャ４６には、図４に示すように、鍔部４８が形成されている。これら各鍔部４８はメインセット４３の貫通孔４４に比べて径大な円環状をなすものであり、メインセット４３の貫通孔４４の周縁部に係合し、メインセット４３および内枠５の両者は各ナイラッチ４５のグロメット４７および鍔部４８相互間で挟持されている。これら各ナイラッチ４５は固定部材に相当するものであり、各ナイラッチ４５の鍔部４８には頭部４９が形成されている。これら各頭部４９は作業者が手指で把持することが可能なものであり、作業者が各ナイラッチ４５の頭部４９を把持して引っ張ったときには各ナイラッチ４５のグロメット４７が内ガード４１の内周面によって押圧されることに基づいて拡径状態から縮径状態になり、各ナイラッチ４５のプランジャ４６がグロメット４７と共に内ガード４１から抜取られる。
【００２２】
メインセット４３の下端部には、図５に示すように、メインセット４３の下端面から下方へ突出する取付片５０が形成されている。この取付片５０には後方からナイラッチ４５のプランジャ４６が挿入されており、ナイラッチ４５のプランジャ４６は貫通孔５１内に挿入されている。この貫通孔５１は、図３に示すように、内枠５に形成されたものであり、取付片５０のナイラッチ４５はグロメット４７が内枠５に係合し、鍔部４８が取付片５０に係合している。即ち、メインセット４３は５個のナイラッチ４５の挟持力で内枠５の後面に装着されたものであり、メインセット４３が５個の全てのナイラッチ４５を介して内枠５に締結された状態をメインセット４３の装着状態と称する。このメインセット４３の装着状態ではメインセット４３が移動不能に拘束され、図１２に実線で示すように、メインセット４３の各シャフト８９が長孔８８内の前端部に位置する。このメインセット４３は全てのナイラッチ４５が内枠５から抜取られることに基づいて移動可能になるものであり、図１２に二点差線で示すように、メインセット４３の各シャフト８９が長孔８８内の後端部に到達するまでメインセット４３が直線的に移動操作された状態をメインセット４３の直動限度状態と称する。
【００２３】
メインセット４３には、図６に示すように、電装品ボックス５２が接合されている。この電装品ボックス５２は左下隅部のナイラッチ４５の下方に配置されたものであり、電装品ボックス５２には出入口５３が形成されている。この電装品ボックス５２内には水平な板状のスイッチベース５４が出入口５３を通して着脱可能に収納されている。このスイッチベース５４にはＬ字板状のカバー５５が形成されており、カバー５５には切欠状の窓部５６が形成されている。このカバー５５はスイッチベース５４が電装品ボックス５２内に収納されることに基づいて電装品ボックス５２の出入口５３を塞ぐものであり、電装品ボックス５２の出入口５３はスイッチベース５４が出入口５３を通して電装品ボックス５２内から取出されることに基づいて開放される。
【００２４】
スイッチベース５４の上面には、図６に示すように、円筒状をなす複数のスペーサ５７が形成されており、複数のスペーサ５７の上端面には自己復帰形のマイクロスイッチ５８が接合されている。このマイクロスイッチ５８は枠センサに相当するものであり、スイッチベース５４と共に電装品ボックス５２内に着脱可能に収納されている。このマイクロスイッチ５８の左側面には後端部に位置して押ボタン５９が装着されており、押ボタン５９はマイクロスイッチ５８の左側面から突出したオフ位置およびマイクロスイッチ５８の内部に退避したオン位置相互間で直線的に移動可能にされている。この押ボタン５９はリターンスプリングのバネ力でオフ位置に保持されており、押ボタン５９に押圧力が作用したときには押ボタン５９がリターンスプリングのバネ力に抗してオフ位置からオン位置に移動することに基づいてマイクロスイッチ５８が電気的にオンされ、押ボタン５９から押圧力が除去されたときには押ボタン５９がリターンスプリングのバネ力でオン位置からオフ位置に復帰することに基づいてマイクロスイッチ５８がオフされる。
【００２５】
マイクロスイッチ５８には、図６に示すように、金属板製のスイッチレバー６０が垂直な軸６１を中心に回動可能に装着されている。このスイッチレバー６０はマイクロスイッチ５８の押ボタン５９を操作するものであり、スイッチレバー６０が前後方向へ真直ぐに延びるオン状態に回動したときには押ボタン５９がリターンスプリングのバネ力に抗してオフ位置からオン位置に押込まれることに基づいてマイクロスイッチ５８がオンされる。このスイッチレバー６０から操作力が除去されたときには押ボタン５９がオン位置からオフ位置に突出することに連動してスイッチレバー６０が回動し、スイッチレバー６０が後から前へ向ってマイクロスイッチ５８の左側面から離れるように傾斜するオフ状態に復帰する。
【００２６】
スイッチベース５４の上面には、図６に示すように、垂直な円筒状のレバーホルダ６２が形成されており、レバーホルダ６２には操作レバー６３が固定されている。この操作レバー６３は金属製の板バネからなるものであり、直状の操作部６４と三角形状の傾斜部６５とストッパ６６と頂上部６７を有している。傾斜部６５はカバー５５の窓部５６を通して電装品ボックス５２の外部に突出するものであり、ストッパ６６はカバー５５に操作レバー６３の弾性力で係合することに基づいて傾斜部６５の窓部５６に対する突出量を一定値に規制している。このストッパ６６がカバー５５に係合した操作レバー６３のオフ状態では操作レバー６３の操作部６４がスイッチレバー６０から離間し、スイッチレバー６０がオフ状態に保持されることに基づいてマイクロスイッチ５８が電気的にオフされる。
【００２７】
内枠５には、図３に示すように、左下隅部に位置して金属板製のスイッチ操作部６８が接合されている。このスイッチ操作部６８は垂直な板状をなすものであり、図７の（ａ）に示すように、メインセット４３の装着状態で操作レバー６３の頂上部６７をスイッチレバー６０側である右側へ押圧し、操作レバー６３は頂上部６７がスイッチ操作部６８によって右側へ押圧されることに基づいてオン状態に弾性変形する。この操作レバー６３がオン状態に弾性変形した状態ではスイッチレバー６０が操作レバー６３の操作部６４によってオン状態に回動操作され、マイクロスイッチ５８の押ボタン５９がスイッチレバー６０によってオン位置に押込まれることに基づいてマイクロスイッチ５８がオンされる。
【００２８】
メインセット４３の直動限度状態では、図７の（ｃ）に示すように、メインセット４３の操作レバー６３が内枠５のスイッチ操作部６８から離間することに基づいてスイッチ操作部６８から操作レバー６３に作用していた押圧力が消滅し、操作レバー６３がオン状態からオフ状態に弾性復帰する。このため、マイクロスイッチ５８の押ボタン５９がオン位置からオフ位置に突出し、スイッチレバー６０が押ボタン５９によって押圧されることに基づいてオン状態からオフ状態に回動する。
【００２９】
図７はメインセット４３を装着状態から直動限度状態に引離すときの操作レバー６３の挙動を示すものであり、メインセット４３の装着状態では、図７の（ａ）に示すように、操作レバー６３の頂上部６７がスイッチ操作部６８にオン点Ｐonで接触している。この状態でメインセット４３が姿勢を崩さずに内枠５から引離されたときには頂上部６７のスイッチ操作部６８に対する接触位置が移動する。この頂上部６７がスイッチ操作部６８から外れたときには、図７の（ｂ）に示すように、傾斜部６５が頂上部６７に換わってスイッチ操作部６８に接触するので、メインセット４３が内枠５から引離されることに応じて操作レバー６３の突出量が大きくなる。メインセット４３の直動限度状態では、図７の（ｃ）に示すように、傾斜部６５がスイッチ操作部６８から完全に外れることに基づいて操作レバー６３が完全に突出し、操作レバー６３のストッパ６６がカバー５５に係合する。図７の（ｂ）のＰoffはマイクロスイッチ５８がオン状態からオフ状態に切換わるオフ点を示すものであり、操作レバー６３の頂上部６７がオフ点Ｐoffに到達していないときにはマイクロスイッチ５８がオン状態になり、頂上部６７がオフ点Ｐoffに到達したときにはマイクロスイッチ５８がオン状態からオフ状態に切換わる。これらオン点Ｐonおよびオフ点Ｐoff相互間の直線的な距離Ｌはマイクロスイッチ５８をオン状態からオフ状態に切換えるためのメインセット４３の移動量である。この移動量Ｌはマイクロスイッチ５８の変位値に相当するものであり、操作量Ｌｍ（図１２参照）に比べて小さく設定されている。この操作量Ｌｍはメインセット４３を装着状態および直動限度状態相互間で操作するときの前後方向の操作量を称するものであり、図１２に示すように、シャフト８９が長孔８８の内周面に沿って移動することが可能な最大値に相当する。
【００３０】
メインセット４３の後面には、図８に示すように、上端部に位置して球タンク６９が接合されている。この球タンク６９は上面が開口する容器状をなすものであり、球タンク６９内には遊技球が貯留されている。この球タンク６９にはタンクレール７０の右端部が接続されている。このタンクレール７０は右から左へ向って下降する傾斜状をなすものであり、メインセット４３の後面に球タンク６９の下方に位置して接合されている。このメインセット４３の後面には左端部に位置してダクト状の枠側上通路７１が接合されている。この枠側上通路７１の上端部はタンクレール７０の左端部に接続され、枠側上通路７１の下端部は球払出し装置７２の入口に接続されている。この枠側上通路７１は球タンク６９内の遊技球がタンクレール７０を通して充填されるものであり、枠側上通路７１内の遊技球は球払出し装置７２が駆動することに基づいて球払出し装置７２の出口から排出される。この球払出し装置７２はステッピングモータを駆動源として遊技球の排出動作を行うものであり、メインセット４３の後面に接合されている。この球払出し装置７２は球供給装置に相当するものである。
【００３１】
メインセット４３には、図５に示すように、ダクト状の枠側下通路７３が接合されている。この枠側下通路７３の上端の入口は球払出し装置７２の出口に接続されており、球払出し装置７２から排出された遊技球は枠側下通路７３に沿って落下する。この枠側下通路７３は枠側通路に相当するものであり、メインセット４３の前面には枠側下通路７３の下端の出口に位置して枠側通路ガード７４が形成されている。この枠側通路ガード７４は枠側下通路７３を取囲む筒状をなすものであり、前後方向へ真直ぐに延びている。この枠側通路ガード７４はラップ部に相当するものである。
【００３２】
内枠５の左下隅部には、図２に示すように、皿側通路７５が接合されている。この皿側通路７５は遊技盤２５を貫通して前後方向へ真直ぐに延びるダクト状をなすものであり、皿側通路７５の後端の入口は、図９の（ａ）に示すように、メインセット４３の装着状態で枠側下通路７３の出口に接続された接続状態になり、図９の（ｂ）に示すように、メインセット４３の直動限度状態で枠側下通路７３の出口から遮断された非接続状態になり、枠側下通路７３および皿側通路７５相互間の接続状態では枠側下通路７３に沿って落下する遊技球が枠側下通路７３の出口から皿側通路７５の入口に進入することが許容される。
【００３３】
内枠５の後面には皿側通路７５の入口に位置して皿側通路ガード７６が形成されている。この皿側通路ガード７６は皿側通路７５を取囲む筒状をなすものであり、前後方向へ真直ぐに延びている。この皿側通路ガード７６は、図９の（ａ）に示すように、メインセット４３の装着状態で枠側通路ガード７４の内周面に嵌合されるものであり、図９の（ｂ）に示すように、メインセット４３の直動限度状態では枠側通路ガード７４の内周面から外れる。
【００３４】
枠側通路ガード７４および皿側通路ガード７６のそれぞれはラップ部に相当するものであり、枠側通路ガード７４の前後方向の長さ寸法Ｌｇおよび皿側通路ガード７６の前後方向の長さ寸法Ｌｇは相互に同一値に設定されている。これら枠側通路ガード７４の前後方向の長さ寸法Ｌｇおよび皿側通路ガード７６の前後方向の長さ寸法Ｌｇのそれぞれはメインセット４３を装着状態から直動限度状態に操作するときのマイクロスイッチ５８の変位量Ｌに比べて大きく設定されており、メインセット４３が装着状態から直動限度状態になるときには枠側通路ガード７４および皿側通路ガード７６相互間に隙間が形成される前にマイクロスイッチ５８がオン状態からオフ状態に切換わる。これら枠側通路ガード７４の前後方向の長さ寸法Ｌｇおよび皿側通路ガード７６の前後方向の長さ寸法Ｌｇのそれぞれはメインセット４３を装着状態から直動限度状態に操作するための操作量Ｌｍに比べて小さく設定されており、メインセット４３を装着状態から直動限度状態に操作するときには枠側通路ガード７４および皿側通路ガード７６相互間に隙間が形成された後にメインセット４３が直動限度状態になる。
【００３５】
窓枠２１には、図１０に示すように、払出し口７７が形成されている。この払出し口７７は窓枠２１の閉鎖状態で皿側通路７４の前端の出口に接続された接続状態になるものであり、窓枠２１の開放状態では皿側通路７４の出口から遮断された非接続状態になる。この払出し口７７は上皿２３内の左端部に開口するダクト状をなすものであり、窓枠２１の閉鎖状態では球払出し装置７２から排出された遊技球が枠側下通路７３および皿側通路７５のそれぞれから払出し口７７を通して上皿２３の内部に供給される。
【００３６】
メインセット４３の後面には、図１１に示すように、下端部に位置して払出し回路ボックス８０が接合されており、払出し回路ボックス８０内には払出し制御回路が収納されている。この払出し制御回路はマイクロコンピュータを主体に構成されたものであり、遊技球が始動口３５内および特別入賞口３６内のいずれかに入賞したときには球払出し装置７２のステッピングモータを駆動することに基づいて遊技球を球払出し装置７２から枠側下通路７３と皿側通路７５と払出し口７７を通して上皿２３内に払出す。
【００３７】
メインセット４３の後面には払出し回路ボックス８０の前方に位置してメイン回路ボックス８１が接合されており、メイン回路ボックス８１内にはメイン制御回路８２が収納されている。このメイン制御回路８２はマイクロコンピュータを主体に構成されたものであり、遊技球が始動口３５内に入賞することに基づいて大当りおよび外れの判定処理を行い、大当りを判定したときには特別入賞口ソレノイドを駆動することに基づいて特別入賞口３６を開放する大当り遊技を行う。このメイン制御回路８２にはマイクロスイッチ５８が接続されており、メイン制御回路８２はマイクロスイッチ５８のオン状態でメインセット４３が装着状態にあると判定する。このメイン制御回路８２はマイクロスイッチ５８のオフ状態でメインセット４３が装着状態にないと判定するものであり、メインセット４３が装着状態にないことを判定したときには開放コマンドを出力する。このメイン制御回路８２は制御回路に相当するものである。
【００３８】
遊技盤２５の後面には、図２に示すように、図柄表示器８３が接合されている。この図柄表示器８３は液晶表示器から構成されたものであり、図柄表示器８３の表示領域は前方から前枠２１の窓３３および遊技盤２５のそれぞれを通して視覚的に認識可能にされている。この図柄表示器８３の後面には、図８に示すように、図柄回路ボックス８４が接合されている。この図柄回路ボックス８４はメインセット４３の開口部内に収納されたものであり、図柄回路ボックス８４内には図柄制御回路が収納されている。この図柄制御回路はマイクロコンピュータを主体に構成されたものであり、メイン制御回路が大当りを判定したときには大当りが判定されたことを遊技者に報知する装飾図柄遊技の映像を図柄表示器８３の表示領域内に表示し、メイン制御回路が外れを判定したときには外れが判定されたことを遊技者に報知する装飾図柄遊技の映像を図柄表示器８３の表示領域内に表示する。
【００３９】
図柄回路ボックス８４内には音制御回路が収納されている。この音制御回路はマイクロコンピュータを主体に構成されたものであり、装飾図柄遊技の映像の進行内容に連動して両スピーカ７のそれぞれから効果音を出力する。この音制御回路は異常処理手段に相当するものであり、メイン制御回路８２が開放コマンドを出力することに基づいて両スピーカ７のそれぞれから報知音を出力し、メインセット４３が装着状態にないことを音で報知する。これら各スピーカ７は報知手段に相当するものである。
【００４０】
メインセット４３には、図１１に示すように、前面が開口する容器状のセンタカバー８５が装着されており、センタカバー８５は図柄回路ボックス８４を後方から覆っている。このセンタカバー８５は複数のナイラッチ４５を介してメインセット４３に着脱可能に装着されたものであり、全てのナイラッチ４５をメインセット４３から抜取ることに基づいてメインセット４３から取外される。このセンタカバー８５には複数の放熱孔８６が形成されており、図柄表示器８３で発生する熱および図柄制御回路で発生する熱のそれぞれは複数の放熱孔８６のそれぞれを通して外部に放出される。
【００４１】
上記実施例１によれば次の効果を奏する。
メインセット４３の装着状態で枠側通路ガード７４および皿側通路ガード７６相互間を相互に重ねたので、ピアノ線を枠側下通路７３の出口および皿側通路７５の入口相互間に挿入することができなくなる。しかも、枠側通路ガード７４の前後方向の長さ寸法Ｌｇおよび皿側通路ガード７６の前後方向の長さ寸法Ｌｇのそれぞれをマイクロスイッチ５８の変位値Ｌよりも長く設定した。このため、例えばメインセット４３の左下隅部のナイラッチ４５を内枠５から抜取った後にメインセット４３を不正にこじ開けて枠側下通路７３の出口および皿側通路７５の入口相互間にピアノ線を挿入しようとしたときには両者の間に隙間が形成される前にマイクロスイッチ５８がオン状態からオフ状態に切換わり、メイン制御回路８２から開放コマンドが出力されることに基づいて両スピーカ７のそれぞれから報知音が出力される。従って、枠側下通路７３の出口および皿側通路７５の入口相互間にピアノ線を挿入することが可能になる前にメインセット４３の不正操作を発見することができるので、総じて遊技盤２５の始動口３５および特別入賞口３６のそれぞれを枠側下通路７３および皿側通路７５相互間からピアノ線によって操作する不正行為が行われることを完全に防止することができる。
【００４２】
メインセット４３を内枠５に回動可能および直動可能に装着したので、メインセット４３を装着状態から直動限度状態に直線的に操作することで内枠５の図柄制御回路等の出張りを逃げた後にメインセット４３を回動操作することができる。このメインセット４３は左上隅部のナイラッチ４５と右上隅部のナイラッチ４５と左下隅部のナイラッチ４５と右下隅部のナイラッチ４５のいずれかを取外すことで内枠５に対して傾斜した状態に不正に引離すことが可能であるが、メインセット４３が内枠５に対して傾斜した状態に不正に引離された場合にも枠側下通路７３の出口および皿側通路７５の入口相互間に隙間が形成される前にマイクロスイッチ５８がオン状態からオフ状態に切換わる。このため、枠側下通路７３の出口および皿側通路７５の入口相互間にピアノ線を挿入することが可能になる前にメインセット４３の不正操作を発見することができるので、遊技盤２５の始動口３５および特別入賞口３６のそれぞれを枠側下通路７３および皿側通路７５相互間からピアノ線によって操作する不正行為が行われることを防止することができる。
【００４３】
上記実施例１においては、メインセット４３が装着状態から引離されたときに枠側通路ガード７４および皿側通路ガード７６相互間に隙間が形成される前にマイクロスイッチ５８の状態が切換わるように枠側通路ガード７４の前後方向の長さ寸法Ｌｇおよび皿側通路ガード７６の前後方向の長さ寸法Ｌｇのそれぞれをマイクロスイッチ５８の変位値Ｌと同等に設定しても良い。
【００４４】
上記実施例１においては、枠側通路ガード７４および皿側通路ガード７６のそれぞれを一部が切除された筒状に形成しても良い。
【実施例２】
【００４５】
メインセット４３の前面には、図１３に示すように、枠側下通路７３の出口に位置して筒状の枠側ラップ部９１が形成されている。この枠側ラップ部９１はラップ部に相当するものであり、前後方向へ真直ぐに延びている。この枠側ラップ部９１は、図１３の（ａ）に示すように、メインセット４３の装着状態で皿側ラップ部９２の内周面に嵌合するものであり、枠側ラップ部９１および皿側ラップ部９２相互間はメインセット４３の装着状態で径方向に重なる。この皿側ラップ部９２は皿側通路７５の後端部を称するものであり、図１３の（ｂ）に示すように、メインセット４３の直動限度状態で枠側ラップ部９１に対して外れる。この皿側ラップ部９２はラップ部に相当するものである。
【００４６】
枠側ラップ部９１の前後方向の長さ寸法および皿側ラップ部９２の前後方向の長さ寸法は相互に同一値に設定されている。これら枠側ラップ部９１の前後方向の長さ寸法および皿側ラップ部９２の前後方向の長さ寸法のそれぞれはメインセット４３を装着状態から直動限度状態に操作するときのマイクロスイッチ５８の変位量Ｌに比べて大きく設定されており、メインセット４３が装着状態から引離されるときには枠側ラップ部９１および皿側ラップ部９２相互間に隙間が形成される前にマイクロスイッチ５８がオン状態からオフ状態に切換わる。これら枠側ラップ部９１の前後方向の長さ寸法および皿側ラップ部９２の前後方向の長さ寸法のそれぞれはメインセット４３を装着状態から直動限度状態に操作するための操作量Ｌｍに比べて小さく設定されており、メインセット４３を装着状態から引離すときには枠側ラップ部９１および皿側ラップ部９２相互間に隙間が形成された後にメインセット４３が直動限度状態になる。
【００４７】
上記実施例２においては、メインセット４３が装着状態から引離されたときに枠側ラップ部９１および皿側ラップ部９２相互間に隙間が形成される前にマイクロスイッチ５８の状態が切換わるように枠側ラップ部９１の前後方向の長さ寸法および皿側ラップ部９２の前後方向の長さ寸法のそれぞれをマイクロスイッチ５８の変位値Ｌと同等に設定しても良い。
【００４８】
上記実施例２においては、枠側ラップ部９１および皿側ラップ部９２のそれぞれを一部が切除された筒状に形成しても良い。
上記実施例１〜２のそれぞれにおいては、メイン制御回路８２が開放コマンドを出力することに基づいて電飾ＬＥＤが予め決められた態様で発光する構成としても良い。この電飾ＬＥＤは装飾図柄遊技を光で演出するものであり、装飾図柄遊技中には図柄表示器８３の表示内容に連動して点滅するものである。
【００４９】
上記実施例１〜２のそれぞれにおいては、ベニヤ製の遊技盤を使用しても良い。
上記実施例１〜２のそれぞれにおいては、メインセット４３を内枠５に複数のネジを介して着脱可能に装着しても良い。
【００５０】
上記実施例１〜２のそれぞれにおいては、メインセット４３が装着状態にあるか否かを検出する枠センサとして光電センサまたは磁気センサ等の近接スイッチを用いても良い。
上記実施例１〜２のそれぞれにおいては、球タンク６９を内枠５に接合しても良い。
【００５１】
上記実施例１〜２のそれぞれにおいては、メインセット４３の各シャフト８９を内枠５のブラケット８７に回動可能および直動不能に装着しても良い。
【図面の簡単な説明】
【００５２】
【図１】実施例１を示す図（パチンコ遊技機を示す前面図）
【図２】パチンコ遊技機を前枠の除去状態で示す前面図
【図３】パチンコ遊技機をメインセットの除去状態で示す後面図
【図４】内枠およびメインセット相互間の接合状態を示す図（図８のＸ線に沿う断面図）
【図５】メインセットを示す図
【図６】（ａ）は電装品ボックスの外観を示す斜視図、（ｂ）はマイクロスイッチの外観を示す斜視図
【図７】操作レバーの挙動を示す図
【図８】パチンコ遊技機をセンタカバーの除去状態で示す後面図
【図９】枠側下通路および皿側通路相互間の接続状態を示す断面図
【図１０】前枠を示す後面図
【図１１】パチンコ遊技機を示す後面図
【図１２】内枠のブラケットおよびメインセットのブラケットを示す図
【図１３】実施例２を示す図９相当図
【符号の説明】
【００５３】
１は外枠、５は内枠、７はスピーカ、２３は上皿、２５は遊技盤、４３はメインセット、５８はマイクロスイッチ、６９は球タンク、７２は球払出し装置、７３は枠側下通路、７４は枠側通路ガード、７５は皿側通路、７６は皿側通路ガード、８２はメイン制御回路、９１は枠側ラップ部、９２は皿側ラップ部を示している。
【図１】
2008048770.tif 000003
【図２】
2008048770.tif 000004
【図３】
2008048770.tif 000005
【図４】
2008048770.tif 000006
【図５】
2008048770.tif 000007
【図６】
2008048770.tif 000008
【図７】
2008048770.tif 000009
【図８】
2008048770.tif 000010
【図９】
2008048770.tif 000011
【図１０】
2008048770.tif 000012
【図１１】
2008048770.tif 000013
【図１２】
2008048770.tif 000014
【図１３】
2008048770.tif 000015